(57)【要約】【課題】光ディスク再生時における省電力化を目的とした技術として、光ディスクの読み出しにおいて最も電力を消費する信号読みとり時のレーザー出力をコントロールする技術がなく、省電力化において顕著な効果を奏し得なかった。【解決手段】光ディスクから読み取られた信号から読み取り性能を評価する評価工程と、前記光ディスクの信号読み取りに必要最小限のレーザー出力にレーザー出力を変化させる出力変化工程とを有し、光ディスクの信号読み取り性能を満たし、且つ必要最小限のレーザー出力に設定することによって省電力化において顕著な効果を奏する。【選択図】図２
2007018575.tif 000002
【特許請求の範囲】
【請求項１】
光ディスク装置における省電力化方法であって、
光ディスクから読み取られた信号から読み取り性能を評価する評価工程と、前記光ディスクの信号読み取りにレーザー出力を変化させる出力変化工程とを有することを特徴とする光ディスク装置における省電力化方法。
【請求項２】
前記読み取り性能とは、ＲＦ信号のＣ／Ｎ比或いはフレーム単位のエラーレートであることを特徴とする請求項１に記載の光ディスク装置における省電力化方法。
【請求項３】
前記レーザー出力とは、前記Ｃ／Ｎ比或いは前記エラーレートにおいて所定の読み取り性能を満たし、前記Ｃ／Ｎ比或いは前記エラーレートの悪化が微小であるレーザー出力であることを特徴とする請求項１又は２に記載の光ディスク装置における省電力化方法。
【請求項４】
さらに前記レーザー出力を設定として記録して毎回の出力設定処理を省略し、定期的に再設定処理を行うことを特徴とする請求項１乃至３のいずれかに記載の光ディスク装置における省電力化方法。
【請求項５】
光ディスクから読み取られた信号から読み取り性能を評価する信号品質評価手段と
前記光ディスクの信号読み取りにレーザー出力を変化させる出力変化手段と
を有することを特徴とする光ディスク装置。
【請求項６】
前記読み取り性能とは、ＲＦ信号のＣ／Ｎ比或いはフレーム単位のエラーレートであることを特徴とする請求項５に記載の光ディスク装置。
【請求項７】
前記レーザー出力とは、前記Ｃ／Ｎ比或いは前記エラーレートにおいて所定の読み取り性能を満たし、前記Ｃ／Ｎ比或いは前記エラーレートの悪化が微小であるレーザー出力であることを特徴とする請求項５又は６に記載の光ディスク装置。
【請求項８】
さらに前記レーザー出力を設定として記憶手段に記録して毎回の出力設定処理を省略し、定期的に再設定処理を行うことを特徴とする請求項５乃至７のいずれかに記載の光ディスク装置。
【発明の詳細な説明】
【技術分野】
【０００１】
本発明は、特に光ディスク装置における省電力化に関するものである。
【背景技術】
【０００２】
従来、光ディスク装置における省電力化においては、記録時にディスクの温度を測定し温度によってレーザー出力を変化させるなどの方法が採られていた。（例えば特許文献１を参照）しかし、再生時においては、記録時よりもレーザー出力が小さくて済み、またディスクの温度の影響も小さいため、本方法では再生時の省電力化において有効な手段となり得なかった。
【特許文献１】特開２０００−２８５４９７号公報
【０００３】
光ディスク再生時における省電力化を目的とした従来技術としては、信号を読みとらない空白時間のレーザー出力を絞ることで省電力化を図った技術が挙げられる。（例えば特許文献２を参照）しかし、この方法においては、光ディスクの読み出しにおいて最も電力を消費する信号読みとり時のレーザー出力をコントロールする技術ではないため、省電力化において顕著な効果を奏し得なかった。
【特許文献２】特開平５−８９４６９号公報
【発明の開示】
【発明が解決しようとする課題】
【０００４】
本発明は、このような状況に鑑みてなされたものであり、上記問題点を解決できる光ディスク装置における省電力化方法及び光ディスク装置を提供することを目的とする。
【課題を解決するための手段】
【０００５】
本発明は上記課題を解決すべく、以下に掲げる構成とした。
請求項１記載の発明の要旨は、光ディスク装置における省電力化方法であって、
光ディスクから読み取られた信号から読み取り性能を評価する評価工程と、前記光ディスクの信号読み取りにレーザー出力を変化させる出力変化工程とを有することを特徴とする光ディスク装置における省電力化方法に存する。
請求項２記載の発明の要旨は、前記読み取り性能とは、ＲＦ信号のＣ／Ｎ比或いはフレーム単位のエラーレートであることを特徴とする請求項１に記載の光ディスク装置における省電力化方法に存する。
請求項３記載の発明の要旨は、前記レーザー出力とは、前記Ｃ／Ｎ比或いは前記エラーレートにおいて所定の読み取り性能を満たし、前記Ｃ／Ｎ比或いは前記エラーレートの悪化が微小であるレーザー出力であることを特徴とする請求項１又は２に記載の光ディスク装置における省電力化方法に存する。
請求項４記載の発明の要旨は、さらに前記レーザー出力を設定として記録して毎回の出力設定処理を省略し、定期的に再設定処理を行うことを特徴とする請求項１乃至３のいずれかに記載の光ディスク装置における省電力化方法に存する。
請求項５記載の発明の要旨は、光ディスクから読み取られた信号から読み取り性能を評価する信号品質評価手段と
前記光ディスクの信号読み取りにレーザー出力を変化させる出力変化手段と
を有することを特徴とする光ディスク装置に存する。
請求項６記載の発明の要旨は、前記読み取り性能とは、ＲＦ信号のＣ／Ｎ比或いはフレーム単位のエラーレートであることを特徴とする請求項５に記載の光ディスク装置に存する。
請求項７記載の発明の要旨は、前記レーザー出力とは、前記Ｃ／Ｎ比或いは前記エラーレートにおいて所定の読み取り性能を満たし、前記Ｃ／Ｎ比或いは前記エラーレートの悪化が微小であるレーザー出力であることを特徴とする請求項５又は６に記載の光ディスク装置に存する。
請求項８記載の発明の要旨は、さらに前記レーザー出力を設定として記憶手段に記録して毎回の出力設定処理を省略し、定期的に再設定処理を行うことを特徴とする請求項５乃至７のいずれかに記載の光ディスク装置に存する。
【発明の効果】
【０００６】
本発明の光ディスク装置における省電力化方法は、Ｃ／Ｎ比或いはエラーレートを犠牲にすることなく、信号読みとり時のレーザー出力を最小限に抑えることができるため、省電力化において顕著な効果を奏するという利点がある。
【発明を実施するための最良の形態】
【０００７】
以下、本発明の実施の形態を詳細に説明する。
【０００８】
本発明の光ディスク装置における省電力化方法は図１に示されるように、光ディスク１、光ピックアップ２、レーザーパワー設定回路４、信号品質評価回路３、システムコントローラ５、及び不揮発性メモリ６を含んだ構成の光ディスク装置において実現される。すなわち、レーザー出力を可変とする構成（レーザーパワー設定回路４）を持ち、さらに希望の読みとり性能が得られる最低限のレーザー出力を求めるための構成（信号品質評価回路３、システムコントローラ５）及びレーザー出力設定の記憶のための不揮発性メモリ６を有する。
【０００９】
光ディスクとしては、ＭＤ、ＣＤ、ＤＶＤなど、レーザーによって信号を読み取る光ディスクであれば種類は問うことなく本発明の省電力化方法を適応することが出来る。
【００１０】
信号品質評価手段である信号品質評価回路においては、レーザー出力をパラメータとして、光ディスクの読み取り信号からＲＦ信号のＣ／Ｎ比或いはフレーム単位でのエラーレートを測定する。一般に、この測定結果は図２のようになる。
【００１１】
従来の省電力化方法においては図２で示すようにＣ／Ｎ比或いはエラーレートの安定域にレーザー出力が設定されていたが、本発明において発明者等は鋭意検討した結果、図２に示すように光ディスクの信号読み取り性能を満たし、且つ必要最小限のレーザー出力に設定することによって省電力化において顕著な効果を奏することを見出した。信号読み取り性能を満たし且つ必要最小限のレーザー出力とは、図２においてＣ／Ｎ比或いはエラーレートが所定の読み取り性能を満たし、かつＣ／Ｎ比或いはエラーレートの悪化が微小であるレーザー出力であり、Ｃ／Ｎ比或いはエラーレートの悪化が微小である安定域のレーザー出力の最小のレーザー出力で且つ悪化が急激になる手前のレーザー出力であることが好ましい。Ｃ／Ｎ比或いはエラーレートの悪化が微小である、とは具体的には、所定の信号読み取り性能を満たす最小のレーザー出力値（図２のＭ点）×１１０％のレーザー出力、といった設定をすることができるが、この設定に限定されることはなく、光ディスクの信号読み取り性能を満たしＣ／Ｎ比或いはエラーレートの悪化が微小である範囲であれば他の設定であって良い。
【００１２】
上記の方法によって求められた必要最小限のレーザー出力設定は、不揮発性メモリ６などの記憶手段に格納し、毎回の出力設定処理を省略することが好ましい。これにより、光ディスク装置の起動時間の短縮を図ることが出来る。上記設定は、不揮発性メモリ６などの記憶手段に格納されるが、経時変化に対応するため、定期的に再設定処理を行うことが好ましい。定期的に、とは、ユーザーにより「省電力モード」などの機能が選択された時、読み取りエラーが多発した時、設定を決定してから一定期間後の光ディスク装置の電源立ち上げ時或いは電源ＯＦＦ時、などが挙げられるが、これらに限られることはなく、適切なレーザー出力設定を行う必要のある時に再設定を行うことが出来るものとする。
【実施例１】
【００１３】
本発明の実施の形態に沿って、光ディスク装置を構成した。すなわち、光ディスク１としてＭＤを用い、対応する光ピックアップ２、信号品質評価回路３、レーザーパワー設定回路４、システムコントローラ５、不揮発性メモリ６を有するＭＤ再生機器を構成した。ＭＤの再生に必要とされる信号読み取り性能としてフレーム単位でのエラーレートを採用し、光ピックアップ２によって読みとられた信号について信号品質評価回路３にてエラーレートを測定し、このエラーレートが所定の値となるレーザー出力の１１０％の出力になるように、レーザーパワー設定回路４によってレーザー出力を設定した。その結果、従来よりも必要とされる電力量を抑えることができた。
【産業上の利用可能性】
【００１４】
本発明の光ディスク装置における省電力化方法は、Ｃ／Ｎ比或いはエラーレートを犠牲にすることなく、信号読みとり時のレーザー出力を最小限に抑えることができるため、省電力化において顕著な効果を奏し、同じ電源でも長時間再生可能な光ディスクプレーヤーを製造することが可能になるという利点がある。
【図面の簡単な説明】
【００１５】
【図１】本発明の実施形態の構成図、及び実施例１の実施図
【図２】光ディスクの信号読み取り性能を満たし且つ必要最小限のレーザー出力、の説明図
【符号の説明】
【００１６】
１    光ディスク
２    光ピックアップ
３    信号品質評価回路
４    レーザーパワー設定回路
５    システムコントローラ
６    不揮発性メモリ
【図１】
2007018575.tif 000003
【図２】
2007018575.tif 000004